(57)【要約】【課題】電線の数が増加することを抑制しつつ、外来ノイズの影響を軽減するためのシールドを適切に行える信号線のシールド構造を提供する。【解決手段】信号線のシールド構造は、第１の信号を伝送する第１の信号線１４１、１４２と、前記第１の信号と異なる周波数の第２の信号を伝送し、その使用状態の中に、第１の信号線１４１、１４２と同時に信号の伝送を行わない第１の使用状態が含まれる第２の信号線１４４、１４５と、を備え、第１の信号線１４１、１４２が、第２の信号線１４４、１４５をシールドするためのシールド線となっている。【選択図】図３
2015023076.tif 000002
【特許請求の範囲】
【請求項１】
第１の信号を伝送する第１の信号線と、
前記第１の信号と異なる周波数の第２の信号を伝送し、その使用状態の中に、前記第１の信号線と同時に信号の伝送を行わない第１の使用状態が含まれる第２の信号線と、
を備え、
前記第１の信号線が、前記第２の信号線をシールドするためのシールド線となっていることを特徴とする信号線のシールド構造。
【請求項２】
前記第２の信号線の使用状態の中に、前記第１の信号線と同時に信号の伝送を行う第２の使用状態が含まれることを特徴とする請求項１に記載の信号線のシールド構造。
【請求項３】
前記第２の使用状態は、一時的な使用状態であることを特徴とする請求項２に記載の信号線のシールド構造。
【請求項４】
前記第２の信号に使用される周波数帯の信号の伝送を抑制するフィルター回路が、前記第１の信号線に対して設けられていることを特徴とする請求項１から３のいずれかに記載の信号線のシールド構造。
【請求項５】
前記第１の信号線は、前記第２の信号線の隣に平行配置される構成、前記第２の信号線とツイストペアケーブルを形成している構成、又は、前記第２の信号線と同軸ケーブルを形成している構成のいずれかであることを特徴とする請求項１から４のいずれかに記載の信号線のシールド構造。
【請求項６】
前記第１の信号線と前記第２の信号線は、チューナーが搭載される第１の回路基板と、前記チューナーからの出力される信号を処理する回路が設けられる第２の回路基板と、を接続する電線であり、
前記第１の信号線は、通信に利用される通信用信号線であり、
前記第２の信号線は、前記チューナーから出力される信号を前記第２の回路基板に伝送するための出力用信号線であることを特徴とする請求項１から５のいずれかに記載の信号線のシールド構造。
【請求項７】
第１の信号線と、前記第１の信号線と異なる周波数の信号が伝送される第２の信号線と、を備え、前記第１の信号線が前記第２の信号線をシールドするためのシールド線になっている、信号線のシールド構造に適用される信号伝送方法であって、
前記第２の信号線の使用状態には、前記第１の信号線と同時に信号の伝送を行う使用状態と、前記第１の信号線と同時に信号の伝送を行わない使用状態と、が含まれ、
前記第１の信号線によって伝送される信号の周波数が、前記第２の信号線の使用状態によって切り替えられることを特徴とする信号伝送方法。
【発明の詳細な説明】
【技術分野】
【０００１】
本発明は、信号線のシールド構造、及び、信号伝送方法に関する。
【背景技術】
【０００２】
従来、電子機器においては、その内部に含まれる複数の回路基板が、信号の伝送等を目的としてケーブル（電線）で接続されることがある。このようなケーブルの中には、外来ノイズ（電磁ノイズ）の影響を軽減することが好ましい信号線が含まれることがある。そこで、従来、外来ノイズの影響を軽減したい信号線をグランド線でシールドするということが行われている。しかし、信号線をグランド線でシールドするという構成が採用される場合、信号線の数に合わせてグランド線の数を増やす必要があり、例えば回路基板上に形成されるコネクターピンの数が多くなる等の問題が生じる。
【０００３】
ところで、例えば特許文献１や特許文献２には、信号線がシールドに使用される構成が開示されている。特許文献１においては、高周波信号から発生する高調波成分が電磁的結合によりシールドグランド線に伝わることを防止するために、低速信号線が使用されることが開示される。また、特許文献２においては、読み出し用のセンス線と書き込み用のデータ線とが同時に動作しないことを利用して、読み出し、書き込み動作において互いに他をシールド線として使用することが開示されている。
【先行技術文献】
【特許文献】
【０００４】
【特許文献１】特許第３５６４０５３号公報
【特許文献２】特開２００１−７６４９０号公報
【発明の概要】
【発明が解決しようとする課題】
【０００５】
外来ノイズの影響を軽減するために、特許文献１や特許文献２の構成を参考にして、グランド線の代わり、外来ノイズの影響を軽減したい信号線とは別の信号線をシールド線として用いることが考えられる。このようにすれば、シールド用にグランド線を増加せずに済み、上述のコネクターピンの増加といった問題を回避できる。
【０００６】
しかしながら、シールド線として使用される信号線が、シールド対象の信号線と同時に信号の伝送を行うのが通常の使用状態である場合、十分なシールド効果を得られず、シールド対象とされる信号線における信号品質が劣化することが懸念される（特許文献１の構成を適用する場合の懸念事項）。また、シールド線として使用される信号線と、シールド対象の信号線とが同時に動作されることが有る場合、特許文献２の構成を採用することはできない。
【０００７】
以上の点に鑑みて、本発明の目的は、電線の数が増加することを抑制しつつ、外来ノイズの影響を軽減するためのシールドを適切に行える信号線のシールド構造を提供することである。また、本発明の他の目的は、前記信号線のシールド構造において、シールド効果を発揮し易い信号伝送方法を提供することである。
【課題を解決するための手段】
【０００８】
上記目的を達成するために本発明の信号線のシールド構造は、第１の信号を伝送する第１の信号線と、前記第１の信号と異なる周波数の第２の信号を伝送し、その使用状態の中に、前記第１の信号線と同時に信号の伝送を行わない第１の使用状態が含まれる第２の信号線と、を備え、前記第１の信号線が、前記第２の信号線をシールドするためのシールド線となっている構成（第１の構成）を採用している。
【０００９】
本構成によれば、第２の信号線の使用状態として、第１の信号線と同時に信号の伝送を行わない使用状態が含まれている。このために、第１の信号線は、第２の信号線をシールドするためのシールド線として使用可能である。また、第１の信号線を伝送される第１の信号と、第２の信号線を伝送される第２の信号との間で使用周波数が異なるために、２つの信号線が同時に信号を伝送する使用状態があったとしても、第１の信号線のシールド線としての効果が著しく損なわれることを抑制可能である。すなわち、本構成によれば、シールド線としてグランド線を追加しなくても、第２の信号が外来ノイズに影響される可能性を軽減できる。なお、本構成では、第１の信号が低周波数の信号であって、第２の信号が高周波数の信号であってよい。
【００１０】
上記第１の構成の信号線のシールド構造において、前記第２の信号線の使用状態の中に、前記第１の信号線と同時に信号の伝送を行う第２の使用状態が含まれる構成（第２の構成）が採用されてもよい。上述のように、第１の信号線を伝送される第１の信号と、第２の信号線を伝送される第２の信号とは異なる周波数であるために、第１の信号線のシールド線としての効果が著しく損なわれることを抑制可能である。なお、第１の信号と第２の信号とは、使用周波数の差が出来る限り大きくなるように設計するのが好ましい。
【００１１】
上記第２の構成の信号線のシールド構造において、前記第２の使用状態は、一時的な使用状態である（第３の構成）のが好ましい。本構成によれば、第２の信号がシールドできないタイミングが一時的なものであり、第２の信号が外来ノイズからの影響を受けても実質的な問題が生じないという状況が期待できる。
【００１２】
上記第１から第３のいずれかの構成の信号線のシールド構造において、前記第２の信号に使用される周波数帯の信号の伝送を抑制するフィルター回路が、前記第１の信号線に対して設けられている構成（第４の構成）であるのが好ましい。本構成によれば、第１の信号線に、第２の信号線に対して影響を及ぼす信号が流れることを抑制できる。このために、本構成によれば、第２の信号線が第１の信号線と同時に信号の伝送を行わない場合だけでなく、第２の信号線が第１の信号線と同時に信号の伝送を行う場合にも、第１の信号線によるシールド効果を得やすい。
【００１３】
上記第１から第４のいずれかの構成の信号線のシールド構造において、前記第１の信号線は、前記第２の信号線の隣に平行配置される構成、前記第２の信号線とツイストペアケーブルを形成している構成、又は、前記第２の信号線と同軸ケーブルを形成している構成のいずれかであってよい（第５の構成）。これらのうち、シールド効果を高めるという観点からは、ツイストペアケーブル又は同軸ケーブルが採用されるのが好ましい。
【００１４】
上記第１から第５のいずれかの構成の信号線のシールド構造において、前記第１の信号線と前記第２の信号線は、チューナーが搭載される第１の回路基板と、前記チューナーからの出力される信号を処理する回路が設けられる第２の回路基板と、を接続する電線であり、前記第１の信号線は、通信に利用される通信用信号線であり、前記第２の信号線は、前記チューナーから出力される信号を前記第２の回路基板に伝送するための出力用信号線である構成（第６の構成）であってよい。本構成では、第２の信号線が、第１の信号線と同時に信号を伝送しない使用状態が通常の使用状態（視聴時が該当）となる。また、第２の信号線が、第１の信号線と同時に信号を伝送する使用状態は一時的な使用状態（例えば選局時が該当）になる。特に、選局時においては、第２の信号は実質的に使用されておらず、第２の信号がシールドされなくても特に問題がない。すなわち、本構成は、本発明のシールド構造を適用し易い構成であると言える。
【００１５】
また、上記目的を達成するために本発明の信号伝送方法は、第１の信号線と、前記第１の信号線と異なる周波数の信号が伝送される第２の信号線と、を備え、前記第１の信号線が前記第２の信号線をシールドするためのシールド線になっている信号線のシールド構造に適用される信号伝送方法であって、前記第２の信号線の使用状態には、前記第１の信号線と同時に信号の伝送を行う使用状態と、前記第１の信号線と同時に信号の伝送を行わない使用状態と、が含まれ、前記第１の信号線によって伝送される信号の周波数が、前記第２の信号線の使用状態によって切り替えられる構成（第７の構成）であるのが好ましい。本構成によれば、例えば、第１の信号と第２の信号とが同時に信号を伝送する場合において、２つの信号の使用周波数をできるだけ離すように切り替えるといったことが可能になる。このために、第１の信号と第２の信号とが同時に信号を伝送する場合においても、第１の信号線によるシールド効果が著しく低下することを抑制できる。また、例えば、第１の信号が第１の信号線を伝送され、第２の信号が第２の信号線を伝送されないという使用状態等においては、第１の信号の伝送速度を高められる。
【００１６】
その他、上記目的を達成するために本発明の信号線のシールド構造は、第１の信号を伝送する第１の信号線と、前記第１の信号と異なる周波数の第２の信号を伝送する第２の信号線と、前記第１の信号線に対して設けられて、前記第２の信号に使用される周波数帯の信号の伝送を抑制するフィルター回路と、を備え、前記第１の信号線が、前記第２の信号線をシールドするためのシールド線となっている構成であってもよい。本構成によれば、フィルター回路の存在により、第１の信号と第２の信号とが同時に信号を伝送する場合でも、第１の信号線を第２の信号線をシールドするためのシールド線として使用できる。このために、本構成によれば、シールド線としてグランド線を追加しなくても、第２の信号が外来ノイズに影響される可能性を軽減可能である。
【発明の効果】
【００１７】
本発明によれば、電線の数が増加することを抑制しつつ、外来ノイズの影響を軽減するためのシールドを適切に行える信号線のシールド構造を提供できる。また、本発明によれば、前記信号線のシールド構造において、シールド効果を発揮し易い信号伝送方法を提供できる。
【図面の簡単な説明】
【００１８】
【図１】本発明の実施形態に係る信号線のシールド構造が適用される受信装置の構成を模式的に示した図
【図２】従来技術の問題点を説明するための図
【図３】本発明の実施形態に係る信号線のシールド構造を示す模式図
【図４】本発明の実施形態に係る受信装置における、ＩＦ信号とＩ２Ｃ信号との関係を説明するための図
【図５】本発明の実施形態に係る信号線のシールド構造において、シールド効果を高めるために設けられるフィルター回路について説明するための図
【図６】本発明の実施形態に係る信号線のシールド構造の変形例を示す模式図
【図７】本発明の実施形態に係る信号線のシールド構造の他の変形例を示す模式図
【図８】本発明の実施形態に係る信号線のシールド構造に同軸ケーブルが採用される場合における、同軸ケーブルの概略断面図
【発明を実施するための形態】
【００１９】
以下、本発明の信号線のシールド構造、及び、信号伝送方法の実施形態について図面を参照しながら詳細に説明する。以下では、本発明が、例えばデジタルテレビ放送信号等の放送信号を受信する受信装置に適用される場合を例に挙げて説明する。
【００２０】
図１は、本発明の実施形態に係る信号線のシールド構造が適用される受信装置１の構成を模式的に示した図である。図１に示すように、受信装置１の内部には、チューナー基板１１と、信号処理基板１２とが分離した状態で配置されている。チューナー基板１１及び信号処理基板１２には、それぞれ不図示の回路パターンが形成されている。なお、チューナー基板１１と、信号処理基板１２とは、例えば受信装置１を小型化し易い構造とする等の理由で分離配置されている。また、チューナー基板１１は本発明の第１の回路基板の一例であり、信号処理基板１２は本発明の第２の回路基板の一例である。
【００２１】
チューナー基板１１には、ユーザーにより選択されたチャンネルの電波を中間周波数のＩＦ信号に変換するチューナー１３が実装されている。チューナー基板１１と信号処理基板１２とは、一端側がチューナー基板１１に設けられるコネクター１１ａに取り付けられ、他端側が信号処理基板１２に設けられるコネクター１２ａに取り付けられる複数の電線１４によって接続されている。
【００２２】
複数の電線１４には、チューナー１３から出力される出力信号（本実施形態ではＩＦ１信号及びＩＦ２信号）を伝送する信号線（ＩＦ１用信号線及びＩＦ２用信号線）が含まれている。そして、信号処理基板１２には、チューナー１３から出力される信号（ＩＦ１信号及びＩＦ２信号）を処理する回路が設けられている。なお、ＩＦ１信号及びＩＦ２信号は、本発明の第２の信号に該当する。また、ＩＦ１用信号線及びＩＦ２用信号線は、本発明の第２の信号線に該当する。
【００２３】
また、信号処理基板１２には、制御部１５（例えばＩＣチップで構成される）が搭載されている。制御部１５は、チューナー１３とＩ２Ｃ（Inter-Integrated Circuit）によって通信可能に設けられている。すなわち、複数の電線１４には、通信用信号（Ｉ２Ｃ  ＣＬＯＣＫ及びＩ２Ｃ  ＤＡＴＡ）を伝送する通信用信号線（Ｉ２Ｃ  ＣＬＯＣＫ用信号線及びＩ２Ｃ  ＤＡＴＡ用信号線）が含まれている。なお、Ｉ２Ｃ  ＣＬＯＣＫ及びＩ２Ｃ  ＤＡＴＡは、本発明の第１の信号に該当する。また、Ｉ２Ｃ  ＣＬＯＣＫ用信号線及びＩ２Ｃ  ＤＡＴＡ用信号線は、本発明の第１の信号線に該当する。
【００２４】
その他、複数の電線１４には、グランド線と、チューナー１３に対して制御（チューナー１３の利得制御）用の信号（ＡＧＣ（Automatic Gain Control）信号）を伝送するためのＡＧＣ用信号線とが含まれている。すなわち、本実施形態においては、複数の電線１４には６本の電線が含まれている。
【００２５】
ところで、複数の電線１４によって伝送される信号のうち、特にチューナー１３からの出力信号（ＩＦ１信号及びＩＦ２信号）は、外来ノイズからの影響を軽減するために、シールドされるのが好ましい。従来の一般的な技術では、このような場合、グランド線が使用される。詳細には、図２に例示するように、ＩＦ１用信号線１４１を２本のグランド線１４３ａ、１４３ｂで挟み、ＩＦ２用信号線１４２を２本のグランド線１４３ｂ、１４３ｃで挟む構造を採用する。
【００２６】
しかしながら、図２に示すような構造を採用する場合、チューナー基板１１と信号処理基板１２とを接続する複数の電線１４の数が、シールド用のグランド線の追加によって増加してしまう（総数８本になってしまう）。この場合、コネクター１１ａ、１２ａ（図１参照）のピン数を増加する必要がある。コネクター１１ａ、１２ａのピン数の増加は、例えば受信装置１の大型化を招く等の理由で採用できない場合がある。この点、本実施形態の信号線のシールド構造によれば、電線の数の増加を抑制しつつ、チューナー１３からの出力信号が外来ノイズに影響されて受信品質が劣化するという事態を抑制できる。以下、これについて詳細に説明する。
【００２７】
図３は、本発明の実施形態に係る信号線のシールド構造を示す模式図である。図３に示すように、ＩＦ１用信号線１４１（シールドしたい信号線）は、グランド線１４３とＩ２Ｃ  ＣＬＯＣＫ用信号線１４４とに挟まれて、これらの線と平行配置されている。また、ＩＦ２用信号線１４２（シールドしたい信号線）は、Ｉ２Ｃ  ＣＬＯＣＫ用信号線１４４とＩ２Ｃ  ＤＡＴＡ用信号線１４５とに挟まれて、これらの線と平行配置されている。
【００２８】
なお、６つの電線１４１〜１４６は、例えばＦＦＣ（Flexible Flat Cable）のように絶縁体を用いて一纏めとされた構造であっても構わない。また、６つの電線１４１〜１４６は、それぞれ別々に絶縁体に被覆されて、ばらばらの構造であっても構わない。
【００２９】
図３に示す構造では、ＩＦ用信号線１４１、１４２は、Ｉ２Ｃ用信号線１４４、１４５によってシールドされ、ＩＦ信号を外来ノイズからシールドして伝送できる。この理由について、以下に説明するが、それに先立って、受信装置１におけるＩＦ信号とＩ２Ｃ信号との関係について図４を参照しながら説明する。
【００３０】
図４における視聴時とは、ユーザーによって選択されたチャンネルの放送信号がチューナー１３から出力されている状態であり、ユーザーからチャンネル選択に関わる指令が出ていない状態である。この状態は、受信装置１の使用状態の中で最も一般的となる通常使用状態である。なお、ユーザーによるチャンネル選択に係る指令は、例えば受信装置１の本体に設けられる操作キーや、リモコンの操作キー（いずれも不図示）等が用いられる。
【００３１】
視聴時においては、選局に関わる指令が出ておらず、通信用信号であるＩ２Ｃ信号は使用されない（図４において×印）。一方、チューナー１３からの出力信号であるＩＦ信号は、ユーザーが番組を視聴できるように使用される（図４において○印）。すなわち、視聴時においては、信号の伝送は、ＩＦ用信号線１４１、１４２のみで行われ、ＩＦ用信号線１４１、１４２とＩ２Ｃ用信号線１４４、１４５とで、同時に信号の伝送は行われない。視聴時におけるＩＦ用信号線１４１、１４２の使用状態は、本発明の第１の使用状態に該当する。
【００３２】
また、図４において、選局時は、ユーザーによってチャンネル選択に関わる指令が出され、チューナー１３と制御部１５との間で通信が行われる状態である。すなわち、選局時においては、Ｉ２Ｃ信号（Ｉ２Ｃ用信号線１４４、１４５）において信号の伝送が行われる（図４において○印）。本実施形態では、選局時において、ＩＦ信号（ＩＦ用信号線１４１、１４２）も使用される。ただし、ＩＦ信号は、選局によって切り替えられるものであり、選局時におけるＩＦ信号は実質的には使用されていないと言えるために、図４においてＩＦ信号の使用はＩ２Ｃ信号の使用とは区別している（○印ではなく△印としている）。
【００３３】
なお、受信装置１において選局は一時的な使用状態であり、選局時におけるＩＦ用信号線１４１、１４２と、Ｉ２Ｃ用信号線１４４、１４５との同時使用（同時に信号が伝送される状態）は一時的なものである。選局時におけるＩＦ用信号線１４１、１４２の使用状態は、本発明の第２の使用状態に該当する。ただし、上述のように、選局時においては、ＩＦ信号は実質的に使用されていないので、場合によっては、選局時には、ＩＦ信号が出力されないようにしてもよい。この場合には、選局時には、ＩＦ用信号線１４１、１４２によってＩＦ信号が伝送されないことになる。
【００３４】
また、図４におけるステータスモードとは、ユーザーによって選択されたチャンネルの受信状態が悪い場合に、一時的に使用されるモードである。このモードでは、制御部１５は、チューナー１３における受信レベルを確認する等の目的でチューナー１３と通信する。そして、このモードでは、例えばユーザーが画面状態を見ながら受信レベルの調整が行えるのが好ましい。このために、ステータスモードでは、ＩＦ信号及びＩ２Ｃ信号が同時に使用される（図４における○印）。
【００３５】
なお、受信装置１においてステータスモードは一時的な使用状態であり、ステータスモード時におけるＩＦ用信号線１４１、１４２と、Ｉ２Ｃ用信号線１４４、１４５との同時使用（同時に信号が伝送される状態）は一時的なものである。ステータスモード時におけるＩＦ用信号線１４１、１４２の使用状態は、本発明の第２の使用状態に該当する。ステータスモードは特別なモードであり、場合によっては、このモードが設けられない構成が採用されてもよい。
【００３６】
上述のように、視聴時にはＩ２Ｃ信号は使用されない。すなわち、視聴時においては、Ｉ２Ｃ信号の電位は一定の電圧（電源電圧）で安定している。このために、視聴時においては、Ｉ２Ｃ用信号線１４４、１４５は、ＩＦ用信号線１４１、１４２をシールドするためのシールド線として使用できる。この点を考慮して、図３に示すように、Ｉ２Ｃ  ＣＬＯＣＫ用信号線１４４とＩ２Ｃ  ＤＡＴＡ用信号線１４５とは、それぞれ、ＩＦ用信号線１４１、１４２の隣に平行配置され、ＩＦ信号を外来ノイズからシールドする構造となっている。
【００３７】
選局時には、Ｉ２Ｃ信号が使用されるが、上述のようにＩＦ信号は実質的には使用されない。このために、選局時には、Ｉ２Ｃ用信号線１４４、１４５がシールド線としての機能を発揮しないとしても実質的に問題を発生しない。この点も、Ｉ２Ｃ用信号線１４４、１４５をシールド線として積極的に使用することを可能にしている。なお、Ｉ２Ｃ信号の周波数を低周波数（例えば４００ｋＨｚ以下）、ＩＦ信号の周波数を高周波数（例えば１ＭＨｚ以上）とし、Ｉ２Ｃ信号とＩＦ信号との間で使用周波数がなるべく離れた設計とするのが好ましい。このように構成すれば、ＩＦ用信号線１４１、１４２と、Ｉ２Ｃ用信号線１４４、１４５が同時使用された場合でも、ＩＦ信号がノイズによる影響を受ける可能性を低減できる。
【００３８】
ステータスモード時には、Ｉ２Ｃ信号とＩＦ信号とが同時使用される。このために、Ｉ２Ｃ用信号線１４４、１４５における、ＩＦ用信号線１４１、１４２に対するシールド効果は低減する。しかしながら、上述のように、Ｉ２Ｃ信号とＩＦ信号との間で使用周波数が離れた設計としておけば、ＩＦ信号がノイズによる影響を受ける可能性を低減できる。更に、本実施形態においては、次のような工夫がなされている。
【００３９】
図５は、本発明の実施形態に係る信号線のシールド構造において、シールド効果を高めるために設けられるフィルター回路３０について説明するための図である。図５に示すように、フィルター回路３０は、チューナー基板１１上に設けられている。更に具体的には、フィルター回路３０は、Ｉ２Ｃ用信号線１４４、１４５用のコネクターピン（コネクター１１ａに含まれる）とチューナーＩＣ１３ａ（チューナー１３に含まれる）とを接続する配線上に設けられている。
【００４０】
なお、本実施形態ではＩ２Ｃ用信号線は２つあり、それぞれに対応してフィルター回路３０は設けられている（本実施形態では、フィルター回路３０が２つ設けられることになる）。また、図５において、抵抗Ｒはプルアップ用の抵抗であり、これはＩ２Ｃの機能を発揮するために設けられるものである。
【００４１】
フィルター回路３０は、ＩＦ信号に使用される周波数帯（例えば１ＭＨｚ以上の周波数帯）の信号が、Ｉ２Ｃ用信号線１４４、１４５で伝送されるのを抑制できるものであればよい。本実施形態では、フィルター回路３０は、ＩＦ信号に使用される周波数帯の信号における対グランドインピーダンスが低くなるように設計されている。具体的には、フィルター回路３０は、一方がＩ２Ｃ用信号線１４４（又は１４５）に接続され、他方がグランドに接続されるコンデンサーＣで構成されている。なお、コンデンサーＣの容量は、ＩＦ信号に使用される周波数帯が１ＭＨｚ以上である場合、例えば１００ｐＦ程度とされる。
【００４２】
本実施形態においては、Ｉ２Ｃ用信号線１４４、１４５は、４００ｋＨｚ以下の周波数帯域で動作が確保されていればよい。このために、フィルター回路３０を設けても、Ｉ２Ｃ用信号線１４４、１４５は通信用信号線としての機能を十分発揮できる。そして、フィルター回路３０の存在によって、ＩＦ信号で使用される周波数成分（１ＭＨｚ以上）の信号はグランドに落とされるために、Ｉ２Ｃ用信号線１４４、１４５は、ＩＦ用信号線１４１、１４２に対してシールド効果を発揮できる。なお、このシールド効果は、選局時においても発揮される。
【００４３】
フィルター回路３０の構成は、上述の構成に限らず、種々の変更が可能であり、例えばローパスフィルター等であってもよい。また、フィルター回路３０は、チューナー基板１１側ではなく、信号処理基板１２側に設けられても構わない。場合によっては、フィルター回路３０は、チューナー基板１１及び信号処理基板１２に設けられても構わない。Ｉ２Ｃ信号の通信速度を下げる（使用周波数を下げる）ようにして、ＩＦ信号の周波数から遠ざけることを意識した設計を採用することにより、上述のフィルター回路３０は、その回路構成を簡単なものとし易い。
【００４４】
また、ステータスモード時において、Ｉ２Ｃ信号に使用される周波数を一時的に切り替えることも有効である。すなわち、ステータスモード時以外は、例えばＩ２Ｃ信号に使用される周波数を４００ｋＨｚ（比較的高速）とし、ステータスモード時にはＩ２Ｃ信号に使用される周波数を１００ｋＨｚ（比較的低速）とするという信号伝送方法が採用されてもよい。Ｉ２Ｃ信号とＩＦ信号との間で使用周波数がより離れた状態になり、Ｉ２Ｃ信号線１４４、１４５によるシールド効果が著しく低下することを抑制可能である。使用周波数の切り替え制御は、例えば制御部１５によって行われてよい。
【００４５】
なお、Ｉ２Ｃ信号に使用される周波数を、ＩＦ用信号線１４４、１４５の使用状態に応じて切り替える信号伝送方法は、場合によっては、視聴時に適用されても構わない。また、切り替える周波数は２段階に限らず、３段階以上であっても構わない。
【００４６】
以上に示した実施形態は本発明の例示であり、本発明の適用範囲は、以上に示した実施形態の構成に限定されるものではない。本発明の技術思想を超えない範囲で、以上の実施形態は適宜変更されてよいのは勿論である。
【００４７】
例えば、以上に示した実施形態では、シールド線として使用されるＩ２Ｃ用信号線１４４、１４５が、ＩＦ用信号線１４１、１４２の隣に平行配置される構成とした。例えば、これに代えて、図６に示すように、ＩＦ１用信号線１４１とＩ２Ｃ  ＣＬＯＣＫ用信号線１４４とがツイストペアケーブル１６を形成し、ＩＦ２用信号線１４２とＩ２Ｃ  ＤＡＴＡ信号線１４５とがツイストペアケーブル１７を形成するようにしてもよい。なお、各信号線１４１、１４２、１４４、１４５は、それぞれ、絶縁体で被覆されている。このように構成することで、平行配置される場合に比べて、Ｉ２Ｃ用信号線１４４、１４５におけるシールド効果の増大が期待できる。
【００４８】
また、ＩＦ用信号線１４１、１４２とＩ２Ｃ用信号線１４４、１４５とがツイストペアケーブル１６、１７を構成するのではなく、図７に示すように、同軸ケーブル１８、１９を形成するようにしてもよい。この場合、図８に示すように、ＩＦ１用信号線１４１（シールドされる側）が芯線とされ、Ｉ２Ｃ  ＣＬＯＣＫ用信号線１４４（シールドする側）が芯線の周囲の導体となるように構成するのが好ましい。ＩＦ２用信号線１４２とＩ２Ｃ  ＤＡＴＡ信号線１４５とが組になって形成される同軸ケーブル１７も同様の構成とするのが好ましい。このように構成することで、平行配置される場合に比べて、Ｉ２Ｃ用信号線１４４、１４５におけるシールド効果の増大が期待できる。
【００４９】
なお、図８は、本発明の実施形態に係る信号線のシールド構造に同軸ケーブル１８、１９が採用される場合における、同軸ケーブル１８、１９の概略断面図である。図８において、符号２０、２１はいずれも絶縁体である。
【００５０】
また、上述のように、受信装置１にはステータスモードが設けられなくてもよい。この場合、ＩＦ信号に使用される周波数帯の信号が、Ｉ２Ｃ用信号線１４４、１４５において伝送されるのを抑制するフィルター回路３０を設けない構成としてもよい。
【００５１】
また、以上に示した実施形態では、シールドする側の信号線（Ｉ２Ｃ用信号線）と、シールドされる側の信号線（ＩＦ用信号線）とが、常に同時使用される場合は想定されていない（一時的な同時使用は想定されている）。しかし、装置によっては、このような使用状態も有り得る。このような装置でも、シールドする側の信号線と、シールドされる側の信号線との周波数を異なるものとし、シールドされる側で使用される周波数帯の信号の伝送を抑制する回路をシールドする側の信号線に対して設ければよい。このような構造の採用によって、信号線を他の信号線でシールドすることが可能になる。
【００５２】
また、以上においては、受信装置１がチューナー１３を１つ備える構成について説明したが、本発明は、受信装置１が備えるチューナー１３の数が２つ以上になっても勿論適用可能である。また、本発明の信号線のシールド構造、及び、信号伝送方法は、受信装置以外の装置に適用されても勿論構わない。
【符号の説明】
【００５３】
１１  チューナー基板（第１の回路基板）
１２  信号処理基板（第２の回路基板）
１３  チューナー
１６、１７  ツイストペアケーブル
１８、１９  同軸ケーブル
３０  フィルター回路
１４１  ＩＦ１用信号線（第２の信号線）
１４２  ＩＦ２用信号線（第２の信号線）
１４４  Ｉ２Ｃ  ＣＬＯＣＫ用信号線（第１の信号線）
１４５  Ｉ２Ｃ  ＤＡＴＡ用信号線（第１の信号線）
【図１】
2015023076.tif 000003
【図２】
2015023076.tif 000004
【図３】
2015023076.tif 000005
【図４】
2015023076.tif 000006
【図５】
2015023076.tif 000007
【図６】
2015023076.tif 000008
【図７】
2015023076.tif 000009
【図８】
2015023076.tif 000010